(57)【要約】【課題】  歩行機能に回転機能を付加した履物を提供する。【解決手段】  上記問題を解決するために、本発明は、少なくとも足置き部材と、其の上部に配置された足掛け部材と、足置き部材の下部に配置された回転盤と、そして足置き部材と回転盤を接続する軸とで構成された履物において、回転盤の下側には、軸と接続した押さえ部材が配置されており、該押さえ部材には複数個の孔又は切り欠きが形成されている。そして足置き部材と押さえ部材の間には接地部材が配置されており、その際、該接地部材が押さえ部材の孔又は切り欠きから下方に突出していることを特徴とする回転盤付き履物を提供する。【選択図】        図１
2006271916.tif 000002
【特許請求の範囲】
【請求項１】
少なくとも足置き部材と、其の上部に配置された足掛け部材と、足置き部材の下部に配置された回転盤と、そして足置き部材と回転盤を接続する軸とで構成された履物において、回転盤の下側には、軸と接続した押さえ部材が配置されており、該押さえ部材には複数個の孔又は切り欠きが形成されている。そして足置き部材と押さえ部材の間には接地部材が配置されており、その際、該接地部材が押さえ部材の孔又は切り欠きから下方に突出していることを特徴とする回転盤付き履物。
【請求項２】
接地部材と足置き部材との間に板状又はフィルム状部材を配置したことを特徴とする請求項１に記載の回転盤付き履物。
【請求項３】
靴、サンダル、スリッパである請求項１〜２のいずれかに記載の回転盤付き履物。
【発明の詳細な説明】
【技術分野】
【０００１】  本発明は足腰の筋肉を鍛えるための回転盤付き履物に関する。
【背景技術】
【０００２】  従来、履物を使用した際、歩くことで筋肉を鍛えることができることは云うまでも無いが、効率良く筋肉を鍛える物として色々なアイディアが提供されている。その中にダイエットスリッパなる物がある。これはスリッパの踵の部分を無くし、足先だけで歩くようにした物である。しかしながら、このダイエットスリッパでは、ふくらはぎの筋肉を鍛える程度であり、他の部分を鍛える効果は得られなかった。
【発明が解決しようとする課題】
【０００３】  本発明においては履物に回転盤による回転機能を付加することを課題とする。
【課題を解決するための手段】
【０００４】  上記課題を解決するために、本発明は次ぎの如き回転盤付き履物を提供する。
１、少なくとも足置き部材と、其の上部に配置された足掛け部材と、足置き部材の下部に配置された回転盤と、そして足置き部と回転盤を接続する軸とで構成された履物において、回転盤の下側には、軸と接続した押さえ部材が配置されており、該押さえ部材には複数個の孔又は切り欠きが形成されている。そして足置き部材と押さえ部材の間には接地部材が配置されており、その際、該接地部材が押さえ部材の孔又は切り欠きから下方に突出していることを特徴とする回転盤付き履物。
２、接地部材と足置き部材の間に板状又はフィルム状部材を配置したことを特徴とする上記第１項に記載の回転盤付き履物。
３、靴、サンダル、スリッパである上記第１〜２項のいずれかに記載の回転盤付き履物。
【発明実施の形態】
【０００５】  以下、図面を参照しながら本発明の各種態様に係る回転盤付き履物に関して説明する。以下の説明は、本発明の技術思想を具現化する幾つかの具体例を説明するものであり、本発明は以下の説明に限定されるものではない。
【０００６】  図１は本発明の一態様に係る回転盤付き履物を示す側面図ａと底部を示す平面図ｂと断面図ｃである。図１に示す回転盤付き履物は足を乗せる足置き部材１と、その上側に形成された足を掛ける足掛け部材２と、足置き部材１の下部に配置された回転盤３と、そして足置き部材１と回転盤３とを接続する軸４とで構成されている。これを使用するには、これを左右対にして足掛け部材２に足を入れて履くと、通常のスリッパと同じように使用することができる。そして、乗せた足を回転させると足置き部材１が軸４により回転盤３の上で回転し、回転運動が可能となる。回転運動により歩行運動では得られなかった足腰の筋肉強化の効果が得られる。両足で同時に行うと運動量が増え、更に大きな足腰の筋肉トレーニングをすることができる。通常のスリッパを使って床面で回転運動を行なうとスリッパの底部が滑り、一定した体のバランスを取ることが難しくなり、運動を持続させることができず、又床面を直接擦るので床面を傷つけると云った不具合が生じる。本発明は底部に回転盤３を形成して回転運動を容易にし、この不具合を解消するものである。更には、回転盤３の床面との滑りを無くすため、そして回転盤３の取り付けを容易にするための工夫を施している。その点に就いては後記において説明する。
【０００７】  次ぎに各部分の詳細について説明すれば、足置き部材１は足を置く所であり、形状、材質は任意である。図１に示すような通常のスリッパの形でも良いし、円形であっても構わない。実施上、材質は硬質のスポンジ材等が好ましい。次ぎに足掛け部材２に就いて説明すれば、足掛け部材２は歩く際に足の甲部を掛けて足置き部材１を持ち上げるための物であり、足の甲部を掛けて歩くことができれば、それは足掛け部材と見なすことができる。図１では足掛け部材２は柔軟性を有する薄い板状部材を湾曲させた形状で示している。この場合、足掛け部材２は硬質の部材でも良い。材質は任意である。又実施上、バンドを使用し、長さを調節できる構造にしても良い。又は下駄の鼻緒の形状でも良い。又はその他の物でも良い。
【０００８】  次ぎに回転盤３と其れに接続する軸４に就いて説明する。図１において回転盤３は二つの部材により構成されている。一つは床に接する接地部材６であり、他は其れの落下を防ぐ押さえ部材５である。以後、この二つを称して回転盤３と云う。図１において回転盤３の接地部材６の底部が足置き部材１の底面より下方に突出させて形成されている。これは回転をする際、接地部材６の底部だけを床面に接地させるためである。実施上、５ミリ程度が好ましい。この場合、回転盤３の上部を足置き部材１の中に入れ込んでも構わない。図１で回転盤３は円形で示されているが、形状は任意である。又、盤と表現しているが皿状である必要は無い。本発明において回転盤３は、押さえ部材５の上部に接地部材６を配置している。更に押さえ部材５には孔７（図２参照）又は切り込み８（図２参照）が形成されており、其処から上部の接地部材６が突出する構造となっている。なぜこのようにするかと云えば、実施上、接地部材６は滑り難い材質、例えば柔らかいゴム材などで形成されるため、これを板状のもので形成し、これに軸４を接合すると、軸４の周囲（特に外側）でゴムが垂れ下がり、歩く際に引っ掛かったりする不具合が生じる。其れを防ぐための方法として、ゴム材の上側に硬質の板材を貼りつけ、其れに軸４を接合することも可能であるが、製作の時間及びコストが掛かるため好ましく無い。これを解決するため、本発明においては下部に押さえ部材５（実施上はプラスチックなどの硬質な板材）を配置し、其処に孔７又は切り込み８を形成して、其の上部に接地部材６（実施上はゴム材）を重ね、押さえ部材５の孔７又は切り込み８から接地部材６を突出させて床面と接触させるものである。実施上、接地部材６は一枚のゴム板で形成し、下面に複数個の突出する押さえ部材５の孔又は切り込みの形に合わせた凸部を形成すると良い。この様にすると、接地部材６を押さえ部材５と足置き部材１とで軸４を介して挟むだけの構造となるので、極めて製作し易くなるからである。実施上、押さえ部材５と接地部材６の寸法は７０〜８０ミリ程度が好ましい。又図１に示すように、押さえ部材５の外縁部を数ミリ上方に曲げても良い。この様にすると強度を増すことができる。又、軸４に就いて云えば、軸４の形状は任意である。上記で説明した、押さえ部材５と接続（図１では接合し一体となっている）した軸４は上部を足置き部材１に接続された環状の軸受け部９に嵌合し、固定ピン１０で固定されている。実施上、反対に足置き部材１に軸４を接合し、押さえ部材５に軸受け部９を形成しても良い。又軸４の材質は硬質のプラスチック等で良いが、軸４と軸受け部９との嵌合部の間には磨耗を防ぐため、金属又はセラミックの環状のスリーブを嵌め込んでも良い。
【０００９】  図２は本発明に係る回転盤付き履物の部分構造を示す平面図である。図２は押さえ部材５に孔７又は切り込み８を形成したものである。切り込みは押さえ部材５を外縁端部より内側に切り込んで形成したもので、接地部材を突出させる機能は孔と同じである。孔７又は切り込み８の形状は任意である。
【００１０】  図３は本発明に係る別の態様の部分構造を示す断面図である。図３に示す回転盤付き履物は足置き部材１と接地部材６の間に板状又はフィルム状部材１１を配置したものである。これは実施上、接地部材６がゴムなどの摩擦係数の高い部材で形成されるので、接触する足置き部材１が回転し難くなるため、これを防止するために板状又はフィルム状部材を間に配置するものである。実施上、該板状又はフィルム状部材には摩擦係数の小さいテフロン樹脂材等が選択できる。厚さは２ミリ以下が好ましい。又軸を中心として環状に配置すると良い。
【００１１】  上記において、本発明の回転盤付き履物の各部の好ましい形状及び寸法及び材質に就いて説明したが、上記説明に限定されること無く形状、寸法、材質は適宜経験的に決定できる。又実施上、本発明の回転盤付き履物は靴、サンダル、スリッパ等に適用できる。
【発明の効果】
【００１２】  本発明に係る回転盤付き履物に依れば、歩行運動に加えて回転運動を、床面を擦ること無く行うことができる。
【図面の簡単な説明】
【図１】  本発明の一態様に係る回転盤付き履物の構造を示す側面図と平面図と断面図である。
【図２】  本発明の一態様に係る回転盤付き履物の部分構造を示す平面図である。
【図３】  本発明の一態様に係る回転盤付き履物の部分構造を示す断面図である。
【符号の説明】
１    足置き部材
２    足掛け部材
３    回転盤
４    軸
５    押さえ部材
６    接地部材
７    孔
８    切り込み
９    軸受け部
１０  固定ピン
１１  板状又はフィルム状部材
【図１】
2006271916.tif 000003
【図２】
2006271916.tif 000004
【図３】
2006271916.tif 000005